(57)【要約】【課題】  輝度変化の速い画像を表示する場合、濃淡むらの影響による画質低下が避けられなかった。【解決手段】  点順次駆動方式のアクティブマトリクス型の表示装置１０において、複数の画素が行列状に配置され、選択制御回路３０は複数の画素のうち輝度信号を入力すべき水平画素ラインを選択する。データ制御回路３２は、選択された水平画素ラインに含まれる画素ごとに順次輝度信号を入力する。データ制御回路３２は、一つのフレームの輝度信号が各画素に複数回ずつ入力されるよう、１フレーム分の輝度信号を各画素に入力した後、走査方向を反転させて再度同じフレームの輝度信号を各画素に入力する。また、データ制御回路３２は、１回のフレーム期間を分割した複数回のサブフレーム期間のそれぞれにおいて各画素に同じ輝度信号を入力する。【選択図】  図１
2005274973.tif 000002
【特許請求の範囲】
【請求項１】
アクティブマトリクス型表示装置において、
行列状に配置された複数の画素と、
一つのフレームが異なる走査方向にて複数回表示されるよう各画素に輝度信号を入力するデータ制御回路と、
を備えることを特徴とする表示装置。
【請求項２】
アクティブマトリクス型表示装置において、
行列状に配置された複数の画素と、
前記複数の画素のうち輝度信号を入力すべき画素ラインを選択する選択制御回路と、
前記選択された画素ラインに含まれる画素ごとに順次輝度信号を入力するデータ制御回路と、を備え、
前記データ制御回路は、一つのフレームの輝度信号が各画素に複数回ずつ入力されるよう、１フレーム分の輝度信号を各画素に入力した後、走査方向を反転させて再度同じフレームの輝度信号を各画素に入力することを特徴とする表示装置。
【請求項３】
行列状に配置された複数の画素と、
前記複数の画素のうち輝度信号を入力すべき画素ラインを選択する選択制御回路と、
前記選択された画素ラインに含まれる画素ごとに順次輝度信号を入力するデータ制御回路と、を備え、
前記複数の画素のそれぞれは、
電流駆動型の光学素子と、
動作特性に応じて補正された輝度信号に基づいて前記光学素子を駆動する駆動回路と、
前記輝度信号の書込を制御する書込回路と、を含み、
前記データ制御回路は、一つのフレームの輝度信号が各画素に複数回ずつ入力されるよう、１フレーム分の輝度信号を各画素に入力した後、走査方向を反転させて再度同じフレームの輝度信号を各画素に入力することを特徴とする表示装置。
【請求項４】
前記データ制御回路は、１回のフレーム期間を分割した複数回のサブフレーム期間のそれぞれにおいて各画素に同じ輝度信号を入力することを特徴とする請求項１から３のいずれかに記載の表示装置。
【請求項５】
前記データ制御回路は、前記選択された画素ラインごとに前記走査方向を反転させることを特徴とする請求項１から４のいずれかに記載の表示装置。
【請求項６】
行列状に配置された複数の画素のうち輝度信号を入力すべき画素ラインを順次選択するステップと、
前記画素ラインが選択されるたびに、一つのフレームの輝度信号を前記選択された画素ラインに含まれる画素ごとに所定の走査方向にて順次入力するステップと、
前記入力された輝度信号をその画素に含まれる駆動回路の動作特性に基づいて補正するステップと、
前記複数の画素に含まれるすべての画素ラインについて前記選択がなされた後、はじめから前記画素ラインを順次選択するステップと、
前記画素ラインが選択されるたびに、前記フレームの輝度信号と同じ輝度信号を前記選択された画素ラインに含まれる画素ごとに前記走査方向と逆の走査方向にて順次入力するステップと、
前記入力された輝度信号をその画素に含まれる駆動回路の動作特性に基づいて補正するステップと、
を含むことを特徴とする表示装置制御方法。
【発明の詳細な説明】
【技術分野】
【０００１】
本発明は、表示装置に関し、特に有機ＥＬを用いた表示装置の技術に関する。
【背景技術】
【０００２】
有機エレクトロルミネッセンス（以下、「有機ＥＬ」という。）表示装置が、新たな平面型表示装置として注目されている。有機ＥＬ表示装置は、現在広く普及している液晶表示装置を席巻する日も近いと目されており、実用化、量産化に向けて熾烈な開発競争の最中にある。
【０００３】
有機ＥＬ表示装置の駆動方式としては、走査電極とデータ電極の交差する位置で両電極に挟まれた画素を時分割で発光させるパッシブマトリクス駆動方式と、各画素の発光を１フレーム期間にわたって維持するアクティブマトリクス駆動方式がある。アクティブマトリクス駆動方式の場合、各画素に含まれる駆動トランジスタの特性ばらつきを原因とする輝度むらが発生するおそれがある。こうした輝度むらを解消するためには、駆動トランジスタの特性に応じて輝度信号を補正する方法が有効であるが、点順次駆動方式の場合、補正期間の長さから左右の表示で輝度の濃淡むらが発生するおそれがある。ここで、左右の表示に生じる輝度の濃淡むらを解消するために、フレームごとに異なる走査方向で表示する液晶表示装置が知られている（例えば、特許文献１参照）。
【特許文献１】特開２００１−１６６２７７号公報
【発明の開示】
【発明が解決しようとする課題】
【０００４】
特許文献１に記載された装置においては、あるフレームで発生した濃淡むらの発生状況が次のフレームでは反転する。したがって、フレーム間で輝度があまり変化しない画像を表示する場合であれば、あるフレームで濃淡むらが発生した一部の画素に関しては次のフレームではその画素に濃淡むらが発生しにくいので、全体として濃淡むらが目立たちにくくなる場合もある。しかしながら、フレーム間で輝度が比較的大きく変化する画像を表示する場合、あるフレームで濃淡むらが発生した一部の画素において次のフレームではすでにその画素の輝度が変化していて十分に濃淡むらがカバーされないことがあり、濃淡むらの影響による画質低下が避けられない。
【０００５】
本発明は上記背景の下でなされたものであり、本発明の目的は、濃淡むらによる影響を効果的に緩和する表示装置を提供することにある。
【課題を解決するための手段】
【０００６】
上記課題を解決するために、本発明のある態様の表示装置は、アクティブマトリクス型表示装置において、行列状に配置された複数の画素と、一つのフレームが異なる走査方向にて複数回表示されるよう各画素に輝度信号を入力するデータ制御回路と、を備える。
【０００７】
この態様によると、一つのフレームが異なる走査方向にて複数回表示されるので、ある走査で画質劣化が生じても再度の走査で劣化が補填され、画質向上につながる。特に、一つのフレームが複数回ずつ表示される分、輝度変化の速い動画であってもより確実に画質劣化が補填され、画質向上を実現しやすい。
【０００８】
本発明の別の態様もまた表示装置である。この表示装置は、アクティブマトリクス型表示装置において、行列状に配置された複数の画素と、複数の画素のうち輝度信号を入力すべき画素ラインを選択する選択制御回路と、選択された画素ラインに含まれる画素ごとに順次輝度信号を入力するデータ制御回路と、を備える。データ制御回路は、一つのフレームの輝度信号が各画素に複数回ずつ入力されるよう、１フレーム分の輝度信号を各画素に入力した後、走査方向を反転させて再度同じフレームの輝度信号を各画素に入力する。
【０００９】
ここで、輝度信号の書込を点順次駆動する方式またはそれ以外の方式の表示装置に含まれる各画素において輝度信号の書込またはその補正に比較的時間を要する場合に、各画素における輝度信号の入力タイミングの違いに基づいて画質劣化が生じるおそれがある。しかし、この態様によれば、一つのフレームが異なる走査方向にて複数回表示されるので、ある走査で画質劣化が生じても再度の走査で劣化が補填され、画質向上につながる。特に、一つのフレームが複数回ずつ表示される分、輝度変化の速い動画であってもより確実に画質劣化が補填され、画質向上を実現しやすい。
【００１０】
本発明のさらに別の態様もまた、表示装置である。この装置は、行列状に配置された複数の画素と、複数の画素のうち輝度信号を入力すべき画素ラインを選択する選択制御回路と、選択された画素ラインに含まれる画素ごとに順次輝度信号を入力するデータ制御回路と、を備える。複数の画素のそれぞれは、電流駆動型の光学素子と、動作特性に応じて補正された輝度信号に基づいて光学素子を駆動する駆動回路と、輝度信号の書込を制御する書込回路と、を含む。データ制御回路は、一つのフレームの輝度信号が各画素に複数回ずつ入力されるよう、１フレーム分の輝度信号を各画素に入力した後、走査方向を反転させて再度同じフレームの輝度信号を各画素に入力する。
【００１１】
ここで、光学素子として、有機発光ダイオード（Organic Light Emitting Diode）が想定できるがこれに限る趣旨ではない。駆動回路および書込回路として、ＭＯＳ（Metal Oxide Semiconductor ）トランジスタや薄膜トランジスタ（ＴＦＴ：Thin Film Transistor）が想定できるが、これに限る趣旨ではない。「駆動回路の動作特性」は、例えば駆動トランジスタの動作しきい値電圧であってもよい。
【００１２】
この態様によると、各画素において駆動回路の動作特性に基づいてなされる輝度信号の補正には比較的時間を要するため、各画素における輝度信号の入力タイミングの違いに基づいて画質劣化が生じるおそれがある。しかし、一つのフレームが異なる走査方向にて複数回表示される分、ある走査で画質劣化が生じても再度の走査で劣化が補填され、比較的輝度変化の速い動画を表示する際にもより確実に画質を向上させることができる。
【００１３】
データ制御回路は、１回のフレーム期間を分割した複数回のサブフレーム期間のそれぞれにおいて各画素に同じ輝度信号を入力してもよい。例えば１回のフレーム期間を２分割して２回のサブフレーム期間に分ける場合、輝度信号入力のクロック周波数は、フレーム周波数に対して２倍となる。例えば、フレームレートを低くせずに同一輝度信号の複数回入力を実現することもできる。
【００１４】
データ制御回路は、選択された画素ラインごとに走査方向を反転させてもよい。この場合、フレーム表示において輝度の濃淡むらが生じてもその濃淡むらが左右いずれかに偏在しないので、より確実に濃淡むらを補填して画質を向上させることができる。
【００１５】
本発明のさらに別の態様は、表示装置制御方法である。この方法は、行列状に配置された複数の画素のうち輝度信号を入力すべき画素ラインを順次選択するステップと、画素ラインが選択されるたびに、一つのフレームの輝度信号を選択された画素ラインに含まれる画素ごとに所定の走査方向にて順次入力するステップと、入力された輝度信号をその画素に含まれる駆動回路の動作特性に基づいて補正するステップと、複数の画素に含まれるすべての画素ラインについて選択がなされた後、はじめから画素ラインを順次選択するステップと、画素ラインが選択されるたびに、フレームの輝度信号と同じ輝度信号を選択された画素ラインに含まれる画素ごとに走査方向と逆の走査方向にて順次入力するステップと、入力された輝度信号をその画素に含まれる駆動回路の動作特性に基づいて補正するステップと、を含む。
【００１６】
この態様によれば、一つのフレームが異なる走査方向にて複数回表示されるので、ある走査において駆動回路の動作特性に基づく補正で輝度信号の入力タイミングの違いによる濃淡むらが生じる場合であっても、再度の走査でその濃淡むらが補填される。したがって、比較的輝度変化の速い動画であってもより確実に画質劣化が補填され、画質向上を実現しやすい。
【００１７】
なお、以上の構成要素の任意の組合せや、本発明の構成要素や表現を方法、装置、システムなどの間で相互に置換したものもまた、本発明の態様として有効である。
【発明の効果】
【００１８】
本発明によれば、表示装置において濃淡むらによる影響を効果的に緩和することができる。
【発明を実施するための最良の形態】
【００１９】
（実施例１）
図１は、実施例１における表示装置に含まれる画素領域およびその周辺の基本構成を示す。表示装置１０は、点順次駆動方式のアクティブマトリクス型表示装置である。表示装置１０において、複数の選択信号線と複数のデータ信号線が交差状に配置され、その交差位置に画素が設けられることによって画素領域６０に複数の画素が行列状に配置される。複数の画素はそれぞれ光学素子を含み、選択信号線を介した選択制御回路３０による制御と、データ信号線を介したデータ制御回路３２による制御に基づいて発光する。
【００２０】
選択制御回路３０は、輝度信号の入力制御対象となる画素を行単位で選択する。本実施例における選択制御回路３０は、画素の行である水平画素ラインを選択するための選択信号を上部の行から下部の行へ順次送ることにより、複数の水平画素ラインを走査する。選択信号は、各水平画素ラインに含まれる各画素に対してそれぞれ選択信号線を介して入力される。
【００２１】
データ制御回路３２は、選択制御回路３０によって選択された水平画素ラインに含まれる各画素に順次輝度信号を入力する。輝度信号は、各画素に対してそれぞれデータ信号線を介して入力される。本図に示す通り、本実施例では一つの水平画素ライン上に第１画素Ａから第１０画素Ｊまでの画素が配置されていると仮定して説明する。
【００２２】
外部駆動回路４２は、インターフェイス４０および垂直駆動信号線３４を介して選択制御回路３０に垂直駆動信号を入力する。外部駆動回路４２は、インターフェイス４０および水平駆動信号線３６を介してデータ制御回路３２に水平駆動信号を入力し、インターフェイス４０および映像信号線３８を介してデータ制御回路３２に映像信号を入力する。映像信号には、各画素に入力すべき複数色の輝度信号が含まれる。
【００２３】
映像信号に含まれる輝度信号は、選択制御回路３０により選択された水平画素ラインに含まれる複数の画素のそれぞれに対し、一つのフレームにつき２回ずつ入力される。すなわち、一つのフレームの輝度信号が図の左から右へ向かう第１走査方向の順に第１画素Ａから第１０画素Ｊへと入力され、次に同じフレームの輝度信号が図の右から左へ向かう第２走査方向の順に第１０画素Ｊから第１画素Ａへと入力される。より具体的には、第１走査方向にて入力する場合、データ制御回路３２は、第１垂直ライン選択期間Ｘ１から第１０垂直ライン選択期間Ｘ１０のそれぞれにおいて第１画素Ａから第１０画素Ｊに順次それぞれの輝度信号を入力する。第２走査方向に入力する場合、データ制御回路３２は、第１１垂直ライン選択期間Ｙ１から第２０垂直ライン選択期間Ｙ１０のそれぞれにおいて第１０画素Ｊから第１画素Ａに順次それぞれの輝度信号を入力する。
【００２４】
図２は、データ制御回路３２の詳細な構成を示す。外部駆動回路４２からインターフェイス４０経由で輝度信号が流される映像信号線３８は、スイッチ回路４８に含まれる複数のスイッチ４８Ａ〜４８Ｊのそれぞれに接続される。スタート信号５０と走査方向切替信号５２は外部駆動回路４２からインターフェイス４０および水平駆動信号線３６を介して送られる水平駆動信号に含まれる。スタート信号５０は、シフトレジスタ回路４４に含まれる複数のシフトレジスタ４４Ａ〜４４Ｊのうち、左端に位置するシフトレジスタ４４Ａと右端に位置するシフトレジスタ４４Ｊに入力される。走査方向切替信号５２は、複数のシフトレジスタ４４Ａ〜４４Ｊのそれぞれに入力される。バッファ回路４６は複数のバッファ４６Ａ〜４６Ｊを含み、複数のシフトレジスタ４４Ａ〜４４Ｊは、複数のバッファ４６Ａ〜４６Ｊのうち対応するバッファにそれぞれ接続される。複数のバッファ４６Ａ〜４６Ｊは、複数のスイッチ４８Ａ〜４８Ｊのうち対応するスイッチにそれぞれ接続される。
【００２５】
第１走査方向の順に各画素に輝度信号を入力する場合、シフトレジスタ４４Ａにスタート信号５０が入力されると、シフトレジスタ４４Ａは、対応するバッファ４６Ａと次のシフトレジスタ４４Ｂにパルス信号を送る。シフトレジスタ４４Ｂにシフトレジスタ４４Ａからのパルス信号が入力されると、シフトレジスタ４４Ｂは、対応するバッファ４６Ｂと次のシフトレジスタ４４Ｃにパルス信号を送る。このように、シフトレジスタ４４Ａからシフトレジスタ４４Ｊへとクロックごとに順次パルス信号が送られる。
【００２６】
シフトレジスタ４４Ａからバッファ４６Ａにパルス信号が送られると、スイッチ４８Ａがオンされ、そのスイッチ４８Ａを通じて輝度信号が第１画素Ａに送られ、第１垂直ライン選択期間Ｘ１が開始される。シフトレジスタ４４Ｂからバッファ４６Ｂにパルス信号が送られると、スイッチ４８Ｂがオンされ、そのスイッチ４８Ｂを通じて輝度信号が第２画素Ｂに送られ、第２垂直ライン選択期間Ｘ２が開始される。このように、シフトレジスタ４４Ａ〜４４Ｊのそれぞれからバッファ４６Ａ〜４６Ｊのそれぞれへ順次パルス信号が送られると、スイッチ４８Ａ〜４８Ｊのそれぞれが順次オンされる。それら各スイッチを通じて輝度信号が第１画素Ａ〜第１０画素Ｊのそれぞれに送られ、第１垂直ライン選択期間Ｘ１〜第１０垂直ライン選択期間Ｘ１０が進行される。
【００２７】
データ制御回路３２は、以上の制御を選択制御回路３０が水平画素ラインを選択するたびに実行する。選択制御回路３０が１画面に含まれるすべての水平画素ラインを順次選択し終えて最初の水平画素ラインの選択に戻ったとき、データ制御回路３２には走査方向を反転させるための走査方向切替信号５２が送られ、走査方向切替信号５２はシフトレジスタ４４Ａ〜４４Ｊのそれぞれに入力され、各シフトレジスタにおけるパルス信号の入出力方向が第１走査方向から第２走査方向へと反転する。したがって、シフトレジスタ４４Ｊにスタート信号５０が入力されたとき、シフトレジスタ４４Ｊ〜４４Ａのそれぞれからバッファ４６Ｊ〜４６Ａのそれぞれへ順次パルス信号が送られ、スイッチ４８Ｊ〜４８Ａのそれぞれが順次オンされ、それら各スイッチを通じて輝度信号が第１０画素Ｊ〜第１画素Ａのそれぞれに送られ、第１１垂直ライン選択期間Ｙ１〜第２０垂直ライン選択期間Ｙ１０が進行される。
【００２８】
第２走査方向にて各スイッチを通じて第１０画素Ｊ〜第１画素Ａのそれぞれに送られる輝度信号は、第１走査方向にて各スイッチを通じて第１画素Ａ〜第１０画素Ｊのそれぞれに送られた輝度信号と同一である。したがって、外部駆動回路４２がインターフェイス４０を介してデータ制御回路３２へ送る輝度信号の順序は、第１走査方向と第２走査方向とで逆順となる。すなわち、外部駆動回路４２は、第１走査方向時には第１画素Ａ〜第１０画素Ｊの順序でそれぞれに対応する輝度信号を送り、第２走査方向時には第１０画素Ｊ〜第１画素Ａの順序でそれぞれに対応する輝度信号を送る。なお、スイッチ回路４８に含まれる各スイッチがオフされても、それら各スイッチを通じて送られた輝度信号はその信号線上に所定期間保持されるので、各画素に輝度信号が入力され続ける。
【００２９】
図３は、１フレーム期間における詳細な駆動タイミングを模式的に示す。一つのフレームの輝度信号を２回ずつ各画素に入力するために、１回のフレーム期間が二つの期間（以下、「サブフレーム期間」とする。）として第１サブフレーム期間と第２サブフレーム期間に分割される。第１サブフレーム期間および第２サブフレーム期間は、それぞれさらに書込期間と発光期間に分割される。第１サブフレーム期間に含まれる第１書込期間と第２サブフレーム期間に含まれる第２書込期間のそれぞれにおいて、同じ輝度信号が各画素に入力される。
【００３０】
本実施例において輝度信号を入力するためのクロック周波数は、表示するフレームの変化を示すフレーム周波数の２倍に相当する。例えば、フレーム周波数を６０Ｈｚとする場合、１フレームを２回ずつ入力するために輝度信号のクロック周波数を１２０Ｈｚにしてもよいし、逆に輝度信号のクロック周波数を６０Ｈｚにしてフレーム周波数が３０Ｈｚになるよう制御してもよい。
【００３１】
第１書込期間と第２書込期間は、それぞれ水平画素ラインの数だけ選択期間を含む。一つの水平画素ライン選択期間は、垂直画素ラインの数だけ選択期間を含む。本実施例では、第１画素Ａから第１０画素Ｊまでの１０垂直画素ラインが含まれると仮定している。この場合、第１書込期間において、第１画素Ａに関しては第１の垂直画素ライン選択期間が始まってから第１０の垂直画素ライン選択期間が終了するまで輝度信号を駆動回路の動作しきい値で補正することができ、十分な補正が可能である。第２画素Ｂに関しては第２の垂直画素ライン選択期間から第１０の垂直画素ライン選択期間まで補正できる。このように第１画素Ａから第１０画素Ｊまで補正可能期間が１垂直画素ライン選択期間分ずつ短くなるので、１垂直画素ライン選択期間の長さを１とすると第１画素Ａから第１０画素Ｊまでの各補正可能期間の長さは（１０，９，８，７，６，５，４，３，２，１）となる。その結果、第１０画素Ｊの補正可能期間は、第１画素Ａの補正可能期間の１／１０にまで短くなる。
【００３２】
一方、第２書込期間においては、走査方向が反転するので、最初に第１０画素Ｊに関して第１の垂直画素ライン選択期間が始まってから第１０の垂直画素ライン選択期間が終了するまで輝度信号を駆動回路の動作しきい値で補正することができ、十分な補正が可能である。第９画素Ｉに関しては第２の垂直画素ライン選択期間から第１０の垂直画素ライン選択期間まで補正できる。このように第１０画素Ｊから第１画素Ａまで補正可能期間が１垂直画素ライン選択期間分ずつ短くなり、それぞれの補正可能期間の長さは（１０，９，８，７，６，５，４，３，２，１）となる。その結果、第１０画素Ｊの補正可能期間は、第１画素Ａの補正可能期間の１０倍になる。
【００３３】
以上のように、第１書込期間において補正可能期間が短い第１０画素Ｊや第９画素Ｉのような右側の各画素は、第２書込期間において補正可能期間が十分に長い。逆に、第２書込期間において補正可能期間が短い第１画素Ａや第２画素Ｂのような左側の各画素は、第１書込期間において補正可能期間が十分に長い。したがって、これら同一フレームについての２回の表示制御をフレーム周波数の２倍のクロック周波数で連続させることにより、画面上では視覚的に両画像が重ねられて見える効果がある。したがって、一方の画像に輝度の濃淡むらといった画質劣化が生じても、視覚的には他方の画像によって補填されるので、全体として画質劣化を緩和して相対的な画質向上を図ることができる。
【００３４】
図４は、実施例１における表示装置に含まれる画素内の基本構成を示す。本図では、代表的に第１画素Ａの内部構成を例示するが、第２画素Ｂ〜第１０画素Ｊ等の他の画素も同様の構成を有する。また、本実施例における各画素の構成は本図の構成に限定されず、駆動回路の特性ばらつきに基づいて輝度信号を補正することができる回路であれば他の構成で置き換えてもよい。
【００３５】
表示装置１０において、第１画素Ａは、有機発光ダイオード（以下、「有機発光ダイオード」を「ＯＬＥＤ」という。）１６、リセットトランジスタ１４、駆動トランジスタ１８、書込トランジスタ２０、電源供給トランジスタ２２、補正トランジスタ２４、および保持容量２６を有する。ＯＬＥＤ１６は、電流駆動型の光学素子であり、駆動電流が流れたときにその電流値に応じた強度で発光する。ただし、本実施例では、駆動電流の値はほぼ一定であり、画素ごとの発光期間の長さの違いで階調を表現する。
【００３６】
駆動トランジスタ１８および電源供給トランジスタ２２は、それぞれｐチャネルＭＯＳトランジスタである。リセットトランジスタ１４、書込トランジスタ２０、補正トランジスタ２４は、それぞれｎチャネルＭＯＳトランジスタである。駆動トランジスタ１８は、ＯＬＥＤ１６の発光を駆動する駆動回路として機能する。リセットトランジスタ１４は、ＯＬＥＤ１６を駆動する電流の信号路の遮断と接続を切り替えるリセット回路として機能する。
【００３７】
書込トランジスタ２０は、ドレイン電極が第１データ信号線ＤＬ１に接続され、ソース電極が電源供給トランジスタ２２のドレイン電極および駆動トランジスタ１８のソース電極に接続される。書込トランジスタ２０のゲート電極は、第１選択信号線ＳＬ１に接続される。電源供給トランジスタ２２は、ソース電極は第１電源供給線ＶＤＤ１に接続され、ゲート電極が第１選択信号線ＳＬ１に接続される。駆動トランジスタ１８のドレイン電極は、補正トランジスタ２４のソース電極およびリセットトランジスタ１４のドレイン電極に接続される。補正トランジスタ２４のドレイン電極は、駆動トランジスタ１８のゲート電極および保持容量２６の一端に接続される。保持容量２６の他端は第１ランプ信号線ＲＰ１に接続される。補正トランジスタ２４のゲート電極は、第１選択信号線ＳＬ１に接続される。リセットトランジスタ１４は、ソース電極がＯＬＥＤ１６の陽極に接続され、ゲート電極が第１リセット線ＲＳ１に接続される。保持容量２６は、駆動トランジスタ１８のゲート電極に設定された輝度信号を保持する。
【００３８】
第１データ信号線ＤＬ１はデータ制御回路３２に接続され、データ制御回路３２から輝度信号が送られる。第１選択信号線ＳＬ１は選択制御回路３０に接続され、選択制御回路３０から選択信号が送られる。第１リセット線ＲＳ１および第１ランプ信号線ＲＰ１もまた選択制御回路３０に接続され、選択制御回路３０からリセット信号またはランプ信号が送られる。
【００３９】
図５は、第１画素Ａに入力される各信号の状態変化の関係を示すタイムチャートである。本図に示される通り、１サブフレーム期間が２分割され、前半が輝度信号の書込期間で、後半が発光期間として各画素が制御される。書込期間においては、第１選択信号線ＳＬ１から入力される選択信号がハイになったとき、書込トランジスタ２０および補正トランジスタ２４がオンされ、電源供給トランジスタ２２がオフされる。このとき、第１リセット線ＲＳ１から入力されるリセット信号はハイであり、リセットトランジスタ１４はオンされている。したがって、ノード２８はＯＬＥＤ１６と接続された状態になるので、ノード２８の電位が下がりリセットされる。リセット信号がローになってリセットトランジスタ１４がオフされると、ノード２８のリセット期間が終了する。
【００４０】
リセット期間の終了時、ノード２８の電位は第１データ信号線ＤＬ１から入力される輝度信号の電位より十分に低いので駆動トランジスタ１８はオンされる。駆動トランジスタ１８を流れた輝度信号はノード２８に入力され、駆動トランジスタ１８のゲート電極に書き込まれる。駆動トランジスタ１８のドレイン電極とゲート電極が短絡するので、ノード２８の電位は次第に低下し、輝度信号の電圧Ｖｄａｔａより駆動トランジスタ１８のしきい値電圧Ｖｔｐだけ低い電位まで下がるとオフされる。これにより、ノード２８にはＶｄａｔａ−Ｖｔｐの値が設定される。第１選択信号線ＳＬ１がローになり、書込トランジスタ２０および補正トランジスタ２４がオフになっても、ノード２８の値は保持容量２６により保持される。このように、輝度信号の電圧は駆動トランジスタ１８のしきい値により補正されるが、輝度信号の入力から駆動トランジスタ１８のオフまである程度の期間を要する。
【００４１】
第１選択信号線ＳＬ１がローになったとき、電源供給トランジスタ２２はオンされる。第１リセット線ＲＳ１がハイになるとリセットトランジスタ１４もオンになる。このとき、第１電源供給線ＶＤＤ１から供給される電源電圧は、第１データ信号線ＤＬ１から入力される輝度信号のローレベルの電圧より低く設定してあり、またノード２８の電位はＶｄａｔａ−Ｖｔｐなので、駆動トランジスタ１８はオフのままである。したがって駆動トランジスタ１８に電流は流れず、ＯＬＥＤ１６は非発光状態のままである。
【００４２】
発光期間においては、第１ランプ信号線ＲＰ１から保持容量２６にランプ信号が入力される。ランプ信号の電位は、書込期間中はハイレベルで固定され、発光期間に入るとハイレベルから漸減するので、ノード２８の電位も保持容量２６とのカップリングによってＶｄａｔａ−Ｖｔｐから漸減する。以上のような過程で表示装置１０に含まれる各画素を制御する。
【００４３】
表示装置１０に含まれる複数の画素のうち、ノード２８の電位が電源電位からＶｔｐだけ小さい値に達した画素から順にその画素の駆動トランジスタ１８に電流が流れてＯＬＥＤ１６が発光する。ランプ信号の電位は発光期間の終了直前に初期値であるハイレベルに戻るため、ノード２８の電位も初期値であるＶｄａｔａ−Ｖｔｐに戻り、表示装置１０に含まれる全画素のＯＬＥＤ１６が非発光状態になる。このように、輝度信号の電圧に基づいて各画素の点灯時間を変調することによって多階調表示が実現される。
【００４４】
以上のように、駆動トランジスタ１８のゲート電極には、輝度信号の電圧を駆動トランジスタ１８のしきい値電圧で補正した値であるＶｄａｔａ−Ｖｔｐが書き込まれ、その電位を基準としてランプ信号によって発光開始タイミングが決定される。この場合、駆動トランジスタ１８のしきい値電圧に依存せずにＯＬＥＤ１６を発光させることができるので、画素間で表示のばらつきが発生しない。
【００４５】
書込期間において選択信号がハイになるタイミング、すなわち水平画素ライン選択期間が開始されるタイミングは、水平画素ラインによって異なる。また、水平画素ライン選択期間において輝度信号の入力タイミングは垂直画素ラインによって異なるので、輝度信号の入力タイミングが遅い垂直画素ラインにおいては、輝度信号の入力から補正が終わるまでの時間が十分に確保されないおそれがある。しかし、本実施例では走査方向が反転されて同じ画素に同じ輝度信号が再度入力されるので、補正が十分でなかった垂直画素ラインに対して２回目の書込期間では十分に補正可能期間が確保され、画質劣化が補填される。
【００４６】
図６は、第１サブフレーム期間および第２サブフレーム期間における各画素の表示状態を模式的に示す。第１サブフレーム期間においては、第１走査方向にて第１画素Ａから第１０画素Ｊの順に輝度信号を入力するので、第１画素Ａ側の画素に比べて第１０画素Ｊ側の画素の方が輝度信号の補正可能期間が短く、補正が十分になされないおそれがある。すなわち、図６（ａ）に示される水平方向の濃淡勾配のように右側の画素ほど補正が不十分となるおそれがある。なお、図においては輝度信号に関する補正可能期間の長さを垂直画素ラインごとに便宜上濃淡で示したにすぎず、図の濃淡が輝度自体の濃淡を示すものではない。
【００４７】
第２サブフレーム期間においては、第２走査方向にて第１０画素Ｊから第１画素Ａの順に輝度信号を入力するので、第１０画素Ｊ側の画素に比べて第１画素Ａ側の画素の方が輝度信号の補正可能期間が短く、補正が十分になされないおそれがある。すなわち、図６（ｂ）に示される水平方向の濃淡勾配のように左側の画素ほど補正が不十分となるおそれがある。
【００４８】
図６（ａ）に示される第１サブフレーム期間において輝度信号の補正が十分でなかった垂直画素ラインについては、図６（ｂ）に示される第２サブフレーム期間において輝度信号の補正が十分に行われる。したがって、両サブフレームが連続して表示されることにより、一方のサブフレームにおける濃淡むらが他方のサブフレームにより補填される。これにより、濃淡むらの目立たない画像表示が可能となり、画質を向上させることができる。
【００４９】
（実施例２）
本実施例においては、１水平画素ラインを走査するたびに走査方向を反転させる点で、最初のサブフレーム期間を同じ走査方向で表示してから次のサブフレーム期間において走査方向を反転させる実施例１と異なる。他の構成は実施例１と共通するので説明を省略し、以下、両実施例の相違点を中心に説明する。
【００５０】
図７は、実施例２の第１サブフレーム期間および第２サブフレーム期間における各画素の表示状態を模式的に示す。図７（ａ）に示される第１サブフレーム期間においては、最初の水平画素ラインは第１画素Ａから第１０画素Ｊの方向に順次輝度信号が入力され、次の水平画素ラインは第１０画素Ｊから第１画素Ａの方向に順次輝度信号が入力される。さらに次の水平画素ラインは第１画素Ａから第１０画素Ｊ、次の水平画素ラインは第１０画素Ｊから第１画素Ａ、というように、水平画素ラインごとに走査方向が反転される。この場合、輝度信号の補正可能期間が短く補正が不十分となるおそれがある画素は、水平画素ラインごとに右側、左側、右側、左側の順に交互となる。
【００５１】
図７（ｂ）に示される第２サブフレーム期間においては、最初の水平画素ラインは第１０画素Ｊから第１画素Ａの方向に順次輝度信号が入力され、次の水平画素ラインは第１画素Ａから第１０画素Ｊの方向に順次輝度信号が入力される。さらに次の水平画素ラインは第１０画素Ｊから第１画素Ａ、次の水平画素ラインは第１画素Ａから第１０画素Ｊ、というように、水平画素ラインごとに走査方向が反転される。この場合、輝度信号の補正可能期間が短く補正が不十分となるおそれがある画素は、水平画素ラインごとに左側、右側、左側、右側の順に交互となる。
【００５２】
このように、第１サブフレーム期間において水平画素ラインごとに走査方向が反転されるとともに、第２サブフレーム期間においては第１サブフレーム期間とは逆順に走査方向が反転される。したがって、実施例１と同様にサブフレームごとの濃淡むらが両サブフレームを続けて表示することによって補填されるので、濃淡むらが目立たない表示が実現される。さらに、水平画素ラインごとにも走査方向が反転されるので、サブフレームごとに生じ得る濃淡むらの左右偏りが分散され、濃淡むらが一層目立たない表示が実現され、画質が向上する。
【００５３】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。以下、変形例を挙げる。
【００５４】
各実施例においては、走査方向として右側から左側、または、左側から右側、といったように具体的に説明したが、変形例としてこれらの順序を逆順にしてもよい。また、実施例２において、１水平画素ラインごとに走査方向を反転させる例を説明したが、変形例においては、複数水平画素ラインごとに走査方向を反転させてもよく、その場合も濃淡むらの左右偏在が解消されて同様の効果が得られる。さらに、各実施例においては同一フレームを２回連続して表示する例を説明したが、変形例では同一フレームを３回以上連続して表示させてもよい。
【図面の簡単な説明】
【００５５】
【図１】実施例１における表示装置に含まれる画素領域およびその周辺の基本構成を示す図である。
【図２】データ制御回路の詳細な構成を示す図である。
【図３】１フレーム期間における詳細な駆動タイミングを模式的に示す図である。
【図４】実施例１における表示装置に含まれる画素内の基本構成を示す図である。
【図５】第１画素Ａに入力される各信号の状態変化の関係を示すタイムチャートである。
【図６】第１サブフレーム期間および第２サブフレーム期間における各画素の表示状態を模式的に示す図である。
【図７】実施例２の第１サブフレーム期間および第２サブフレーム期間における各画素の表示状態を模式的に示す図である。
【符号の説明】
【００５６】
１０  表示装置、  １６  ＯＬＥＤ、  １８  駆動トランジスタ、  ２０  書込トランジスタ、  ２４  補正トランジスタ、  ２６  保持容量、  ２８  ノード、  ３０  選択制御回路、  ３２  データ制御回路、  ３４  垂直駆動信号線、  ３６  水平駆動信号線、  ３８  映像信号線、  ４０  インターフェイス、  ４２  外部駆動回路、  ４４  シフトレジスタ回路、  ４６  バッファ回路、  ４８  スイッチ回路、  ５０  スタート信号、  ５２  走査方向切替信号、  ６０  画素領域。
【図１】
2005274973.tif 000003
【図２】
2005274973.tif 000004
【図３】
2005274973.tif 000005
【図４】
2005274973.tif 000006
【図５】
2005274973.tif 000007
【図６】
2005274973.tif 000008
【図７】
2005274973.tif 000009